(57)【要約】
【課題】  自転車や自動二輪等の利用者が、サドルやシートが雨等の水滴の濡れや塵などの汚れの際に、布などを使用し、上記サドルやシートを拭く事なく、雨等の水滴または塵などを簡単に取り払え、衣服に水滴や塵などが付着することを防ぐサドルカバーやシートカバーを提供することを目的とする。
【解決手段】  サドルカバー１は水を浸透させない撥水性に優れた軟質塩化ビニール等のシート２と伸縮性に優れたポリウレタン繊維等の混ぜられたシート３と、上記シート３に取り付けられている係止フック４とを有する。
【選択図】  図２
0003101384.tif 000002
【実用新案登録請求の範囲】
【請求項１】
水を浸透させない撥水性に優れた軟質塩化ビニール等のシートと、この撥水性に優れたシートの周縁部に付けられている伸縮性に優れたポリウレタン繊維等の混ぜられたシートと、更にこの伸縮性に優れたシートの周縁部に付けられている係止フックとを有することを特徴とするサドルカバー。
【請求項２】
水を浸透させない撥水性に優れた軟質塩化ビニール等のシートと、この撥水性に優れたシートの周縁部に伸縮性に優れたポリウレタン繊維等の混ぜられたシートと、更にこの伸縮性に優れたシートの周縁部に付けられている人が引っ張る程度の引張荷重に耐えうるオーリングとを有することを特徴とするサドルカバー。
【考案の詳細な説明】
【考案の詳細な説明】
【技術分野】
【０００１】  本考案は、自転車や自動二輪等のサドルやシートに付着した塵や雨などによる水滴を簡単に取り除くサドルカバーに関するものである。
【背景技術】
【０００２】  従来、自転車や自動二輪等の利用者が、屋根等の雨避けや埃の舞う場所に自転車等を駐輪する時、降雨などの対策として予めビニール袋を被せ、自転車等に乗る時に外したり、または濡れたサドルやシートにはビニール袋を被せたり、ハンカチ等の布などによって拭くことで、衣服の臀部等が濡れたり汚れたりすることを防いでいた。【０００３】  この種のサドルカバーとしては、例えば登録実用新案第３０３４６４４号や、サドルカバー装置としては、例えば特許公開平８−１０４２７１号に開示されたものを含め各種の提案がなされている。【０００４】  これらのサドルカバーは水を浸透させない撥水性に優れた柔軟性のある材質でできているシートと、このシートに取り付けられている繋止紐と、上記シートの周縁部に沿って取り付けられた係止部材を備えている。【０００５】  これらのサドルカバー装置は収納ケースに巻取り方向へ牽引付勢された帯状シートを引き出し可能に収納し、帯状シートの先端側にはサドルカバー部が形成されると共に、サドルカバー部の先端に防止具を設けた巻取り機構部と、巻取り機構部をサドル近傍のフレームに取り付けているフレーム取り付け部とを備えている。
【考案の開示】
【考案が解決しようとしている課題】
【０００６】  しかし、上記サドルカバーやサドルカバー装置の場合には次のような解決を必要とする幾つかの課題が残されていた。
【０００７】  まず、塵や雨などによる水滴がサドルに付着する度に、サドルにサドルカバー部を被せる手間がかかるということ。
【０００８】  次に、サドルに付着してしまった水滴等の水切り機構を備えていないため、例えばサドルが濡れてしまい、サドルカバーを使用し乗車したとしても、サドルが濡れた状態においてサドルカバーをサドルに装着したまま、再度、雨避けのない場所に駐輪してしまうとサドルカバーまでも濡れてしまい、別途、新しいサドルカバーが必要になるか、ハンカチ等の布などによって拭くことといった従来の方法を使わざるを得ないということ。
【０００９】  また、装置のような複雑な形状になるとばね部材等の劣化、不具合などによって使用不可能になるケースが生じるということ。
【課題を解決するための手段】
【００１０】  上記課題を解決するために、本考案における請求項１のサドルカバーは、サドルに被着させる水を浸透させない撥水性に優れた軟質塩化ビニール等のシートと伸縮性に優れたポリウレタン繊維等の混ぜられたシートと、このシートに取り付けられている係止フックから構成される。
【００１１】  上記課題を解決するために、本考案における請求項２のサドルカバーは、サドルに被着させる水を浸透させない撥水性に優れた軟質塩化ビニール等のシートと伸縮性に優れたポリウレタン繊維等の混ぜられたシートと、このシートに取り付けられているオーリングから構成される。
【考案の効果】
【００１２】  本考案によるサドルカバーは従来技術では得られない、次のような効果を期待することができる。請求項１の考案によれば、サドルカバーは着脱の手間がかからずサドルに常時装着可能で、自転車等の利用者はサドルカバーを携帯や着脱する不便さから開放される。利用者は上記サドルカバー上部の撥水性に優れたシートを上部より指等でつまみ、伸縮性に優れたシートが伸びたところで、上記撥水性に優れたシートを指等でつまみながら左右等に振るだけで、水を浸透させない撥水性に優れたシートから、ハンカチなどの布等を使用せず、サドルやシートに付着した塵や雨などによる水滴を弾き落とすことができる。また、上記サドルカバーは係止部材等によってサドルに止められているため、安易にサドルからの着脱もできるため、取替えが容易である。
【００１３】  請求項２の考案によれば、サドルカバーは着脱の手間がかからずサドルに常時装着可能で、自転車等の利用者はサドルカバーを携帯や着脱する不便さから開放される。利用者は上記サドルカバー上部の撥水性に優れたシートを上部より指等でつまみ、伸縮性に優れたシートが伸びたところで、上記撥水性に優れたシートを指等でつまみながら左右等に振るだけで、水を浸透させない撥水性に優れたシートから、ハンカチなどの布等を使用せず、サドルやシートに付着した塵や雨などによる水滴を弾き落とすことができる。また、伸縮性に優れたシートは周縁部に付けられているオーリングを介し、自転車の購買時よりオーリングを、クッション等を固定するサドル本体の内側にある固定爪等に硬く固定することにより、容易にシートを外すことができず、盗難を未然に防止することもできる。
【考案を実施するための最良の形態】
【００１４】  図１（ａ）（ｂ）で示すように、サドルカバー１はシート２とシート３と係止フック４を有している。上記シート２は薄く撥水性に優れたものであり、人の腕力以上の引張に耐えうる厚さを有した軟質塩化ビニール等の合成樹脂であり、このシート２は自転車のサドルの表面形状に形成されたものであることが好ましい。上記シート３は上記シート２の周縁部に付けられている伸縮性に優れ、人の腕力以上の引張に耐えうる構造を有したポリウレタン繊維等の混ぜられた高分子化合物の繊維でできたシートであり、自転車に乗る際に、直接衣服の触れ合うサドル６の側面部および上面部には触れ合わないほうが好ましい。上記係止フック４は上記シート３の周縁部に付けられ、上記サドル６のスプリング等の防振支持部５に係止めするための剛性が高く錆に強いチタンやアルマイト処理を施したアルミニウムやフッ素樹脂等でコートされた鉄等の材質でできた係止フックである。【００１５】  サドルカバー１の繋止手段として、係止フック４を使用しているが、図６で示すように、サドルカバー１ａはシート２ａとシート３ａとオーリング４ａを有する態様もあり、上記シート２ａは薄く撥水性に優れたものであり、人の腕力以上の引張に耐えうる厚さを有した軟質塩化ビニール等の合成樹脂であり、この上記シート２ａはサドルに装着をしない場合においても、上記サドルに装着時にしわ等が生じぬよう、上記サドル６の表面形状に形成されたものであることが好ましい。上記シート３ａは上記シート２ａの周縁部に付けられている伸縮性に優れ、人の腕力以上の引張に耐えうる構造を有したポリウレタン繊維等の混ぜられた高分子化合物の繊維でできたシートであり、自転車の乗る際にサドルの側面部および上面部には触れ合わないほうが好ましい。上記オーリング４ａは上記シート３ａの周縁部に付けられており、耐候性に優れ、人の腕力以上の引張に耐えうる構造を有したニトリルゴム等の材質が好ましい。
【実施例】
【００１６】  以下に、本考案のサドルカバーを図１〜８で図示する実施例に基づいて詳細に説明する。図２と、図３（ａ）（ｂ）で示すように、係止フック４はシート３を少し伸ばした状態でサドル６のスプリング等の防振支持部５に上記シート３の縮小作用によって係止めし、上記シート３の縮小作用により、シート２が上記サドル６に押し付けられ、サドルカバー１が上記サドル６より外れにくくなる。【００１７】  図１（ａ）で示すように、サドルに装着をしない場合においても、シート２は上記サドルに装着時にしわ等が生じぬよう、上記サドルの表面形状に形成されたものであることが好ましい。【００１８】  図１（ｂ）で示すように、サドルに装着をしない場合においても、シート３は開口しており、この開口部から上記サドルを覆い被せる。上記開口部は上記サドルより小さく開口されており、サドルカバー１を上記サドル６に装着した際、上記サドル６より上記サドルカバー１が外れにくくなり、開口部からの塵や雨などによる水滴の浸入を軽減する。また、シート３の開口部に沿って厚い布等を介し、厚い布の周縁部を端伏せ縫等にし、その内側に紐を通し、結ぶことにより、開口部を完全に閉める態様もある。【００１９】  図４で示すように、係止フック４は締結後のゆるみがない剛性が高く錆に強いチタン等のリベット７や、その他の固着手段を介してシート３と締結がされている。また、上記係止フックはフック部とリベット等のある板部を一体にせず別々に構成し、上記フック部を回動可能にするという態様もある。【００２０】  次に、サドルカバー１の使用方法について説明する。図５（ａ）（ｂ）で示すように、自転車のサドルが雨等の水滴の濡れや塵などの汚れの際に、シート２を指でつまみ、上部に引っ張ることによって、シート３が伸び、上部に引っ張られた上記シート２を左右等に振ることにより、雨等の水滴の濡れや塵などの汚れを簡単に弾くことができる。サドル６のスプリング等の防振支持部５に係止めされた係止フック４がサドルカバー１をサドル６から外れることを防ぐ。縫い目８は上記シート２と上記シート３の縫い合わせであり、二度縫いや耳くけ等の縫い方により、上部に引っ張られる上記シート２と上記シート３が外れないように構成されている。【００２１】  上記構成において、サドルカバー１は図２に示すように常時サドル６に装着しておくことにより、自転車利用者は、常時サドルカバーを携帯する不便さと、サドルカバーを着脱する不便さから開放されるとともに、必要時にはハンカチや布等を使用し、サドルやシートを拭く事なく、簡単に雨等の水滴の濡れや塵などの汚れを弾くことができ、自転車に乗る際に、衣服に水滴や塵などが付着するのを防ぐことができる。【００２２】  次に、サドルカバー１ａの使用方法について説明する。図７（ａ）（ｂ）で示すように、オーリング４ａはシート３ａをたるみのない状態でサドル６のクッション等を固定するサドル本体の内側にある固定爪１０等に硬く固定する。【００２３】  自転車のサドルが雨等の水滴の濡れや塵などの汚れの際に、シート２ａを指でつまみ、上部に引っ張ることによって、シート３ａが伸び、上部に引っ張られた上記シート２ａを左右等に振ることにより、雨等の水滴の濡れや��などの汚れを簡単に弾くことができる。サドル６の固定爪１０に固定されたオーリング４ａがサドルカバー１ａを上記サドル６から外れることを防ぐ。【００２４】  上記構成において、サドルカバー１ａは図７（ａ）（ｂ）に示すように常時サドル６に装着しておくことにより、自転車等の利用者は、常時サドルカバーを携帯する不便さと、サドルカバーを着脱する不便さから開放されるとともに、必要時にはハンカチや布等を使用し、サドルやシートを拭く事なく簡単に、雨等の水滴の濡れや塵などの汚れを弾くことができ、自転車に乗る際に、衣服に水滴や塵などが付着するのを防ぐことができ、上記サドルカバー１ａの盗難を防止する。【００２５】  図８で示すように、サドル６のクッション１１等を固定するサドル６本体の内側にある固定爪１０等に上記クッション１１と共に硬く固定する。【００２６】  サドルカバー１はサドルカバー１ａに比べサドル６から着脱しやすく交換が容易であるという点において優れているが、それは同時に盗難が容易に行える。それとは逆に、上記サドルカバー１ａは上記サドルカバー１に比べ上記サドル６から着脱しにくいという点において、盗難が容易に行えない点において優れている。上記サドルカバー１ａは自転車のサドルの生産工程において上記サドル６に装着し、新しい自転車等を購入時に、店頭においてすでに装着されて陳列することが好ましい。【００２７】  上記考案を実施するための最良の形態では、シート２およびシート２ａの形状がサドル６の表面形状に形成されているとしたが、上記シート２およびシート２ａの大きさがサドル６を覆うことができる大きさであればよい。また、上記シート２およびシート２ａの材質は、軟質塩化ビニール等の合成樹脂が好ましいが、撥水効果の高く、塵などの付着しにくい材質であればよい。【００２８】  シート３およびシート３ａの材質は、ポリウレタン繊維等の混ぜられた高分子化合物の繊維が好ましいが、人の腕力以上に引張に耐えうる伸縮性に優れている材質であればよい。【００２９】  サドルカバー１の繋止手段として、係止フック４を使用しているが、マジックテープやひも等の繋止手段でもよい。【００３０】  サドルカバー１ａの繋止手段として、オーリング４ａを使用しているが、引っ張りに強い丈夫なひもや厚手の布等の固定手段でもよい。【００３１】  上記では、自転車への利用について説明したが、サドルカバー１とサドルカバー１ａは、バイク等に利用することもでき、その構成部品は特殊なものでなく、生産コストが安く設定でき、販売価格も安く設定できる。
【産業上の利用可能性】
【図面の簡単な説明】
【図１】請求項１における本考案のサドルカバーを示し、（ａ）斜視図、（ｂ）下面図
【図２】請求項１における本考案の実施の形態を示すサドルカバーの装着状態を示す斜視図
【図３】請求項１における本考案の実施の形態を示すサドルカバーの装着状態を示し（ａ）側面図、（ｂ）背面図
【図４】請求項１における本考案のサドルカバーの係止フック
【図５】請求項１における本考案のサドルカバーの使用方法を示し（ａ）側面図、（ｂ）背面図
【図６】請求項２における本考案のサドルカバーを示す斜視図
【図７】請求項２における本考案の実施の形態を示すサドルカバーの装着状態を示し、（ａ）側面図、（ｂ）背面図
【図８】請求項２における本考案のサドルカバーを図７（ａ）のＡ−Ｃ線、および図７（ｂ）のＡ−Ｂ線に沿った断面図
【符号の説明】
１  請求項１における本考案のサドルカバー
２  請求項１における水を浸透させない撥水性に優れた柔軟性のある材質でできているシート
３  請求項１における伸縮性に優れたシート
４  請求項１における係止部材
５  防振支持部材
６  サドル
７  請求項１におけるリベット
８  縫い目
９  シートピラー
１０  固定爪
１１  クッション
１ａ請求項２における本考案のサドルカバー
２ａ請求項２における水を浸透させない撥水性に優れた柔軟性のある材質でできているシート
３ａ請求項２における伸縮性に優れたシート
４ａ請求項２におけるオーリング
【図１】
0003101384.tif 000003
【図２】
0003101384.tif 000004
【図３】
0003101384.tif 000005
【図４】
0003101384.tif 000006
【図５】
0003101384.tif 000007
【図６】
0003101384.tif 000008
【図７】
0003101384.tif 000009
0003101384.tif 000010
【図８】
0003101384.tif 000011
【手続補正書】
【提出日】平成15年12月3日(2003.12.3)
【手続補正１】
【補正対象書類名】図面
【補正対象項目名】全図
【補正方法】変更
【補正の内容】
【図１】
0003101384.tif 000012
【図２】
0003101384.tif 000013
【図３】
0003101384.tif 000014
【図４】
0003101384.tif 000015
【図５】
0003101384.tif 000016
【図６】
0003101384.tif 000017
【図７】
0003101384.tif 000018
【図８】
0003101384.tif 000019